(57)【特許請求の範囲】
【請求項１】
第１の無線アクセス技術 (RAT)のサービス品質(QoS)パラメータを決定すること、
前記第１のRATの前記QoSパラメータを、第２のRATのQoSパラメータに変換することと、ここにおいて前記変換することは、前記第２のRATの前記QoSパラメータのうちの１つの第２の値を得るために、前記第１のRATの前記QoSパラメータのうちの１つの第１の値に式を適用することを含み、前記第2の値は、前記第１の値とは異なり、
前記第１のRATを利用する第１のネットワークから前記第２のRATを利用する第２のネットワークへ、変換されたQoSパラメータを用いるハンドオーバーを実行すること
を具備し、
前記第１及び第２のRATのうちの１つは、コード分割多元接続(CDMA) 高レートパケットデータ(HRPD) RATを構成し、前記CDMA HRPD RATの前記QoSパラメータは冗長モードのCDMA HRPDに関連するパラメータを構成する、ワイヤレス交信の方法。
【請求項２】
前記第１及び第２のRATの、CDMA HRPD RATを構成しない他の１つは、標準のエレクトリカルアンドエレクトロニクスエンジニアーズ（IEEE）802.16ファミリーの協会の１つ又はそれ以上の標準に従っているRATを構成している請求項１記載の方法。
【請求項３】
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目で構成される、請求項２記載の方法。
【請求項４】
前記冗長モードのCDMA HRPDに関連するパラメータは、トラフィッククラス、ピークレート、トークンバケットサイズ(Bucket_size)、トークンレート、最大期間(Max_latency)、最大インターネットプロトコールパケットロスレート(Max_IP_packet_loss_rate)、メディアンパケットサイズ(Packet_size)、及び遅延変動感度(Delay_var_sensitive)インジケータを含むグループから選択された少なくとも１つの項目で構成される、請求項１記載の方法。
【請求項５】
第１の無線アクセス技術 (RAT)のサービス品質(QoS)パラメータを決定する手段と、
前記第１のRATの前記QoSパラメータを、第２のRATのQoSパラメータに変換する手段と、ここにおいて前記変換することは、前記第２のRATの前記QoSパラメータのうちの１つの第２の値を得るために、前記第１のRATの前記QoSパラメータのうちの１つの第１の値に式を適用することを含み、前記第2の値は、前記第１の値とは異なり、
前記第２のRATの変換されたQoSパラメータを用いるハンドオーバーを実行する手段と、なお、前記ハンドオーバーは前記第１のRATを利用する第１のネットワークから前記第２のRATを利用する第２のネットワークへである、
を具備し、
前記第１及び第２のRATのうちの１つは、コード分割多元接続(CDMA) 高レートパケットデータ(HRPD) RATを構成し、前記CDMA HRPD RATの前記QoSパラメータは冗長モードのCDMA HRPDに関連するパラメータを構成する、ワイヤレス交信の装置。
【請求項６】
前記第１及び第２のRATの、CDMA HRPD RATを構成しない他の１つは、標準のエレクトリカルアンドエレクトロニクスエンジニアーズ（IEEE）802.16ファミリーの協会の１つ又はそれ以上の標準に従っているRATを構成している請求項５記載の装置。
【請求項７】
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目で構成される、請求項６記載の装置。
【請求項８】
前記冗長モードのCDMA HRPDに関連するパラメータは、トラフィッククラス、ピークレート、トークンバケットサイズ(Bucket_size)、トークンレート、最大期間(Max_latency)、最大インターネットプロトコールパケットロスレート(Max_IP_packet_loss_rate)、メディアンパケットサイズ(Packet_size)、及び遅延変動感度(Delay_var_sensitive)インジケータを含むグループから選択された少なくとも１つの項目で構成される、請求項５記載の装置。
【請求項９】
第１の無線アクセス技術 (RAT)のサービス品質(QoS)パラメータを決定するロジックと、
前記第１のRATの前記QoSパラメータを、第２のRATのQoSパラメータに変換するロジックと、ここにおいて前記変換することは、前記第２のRATの前記QoSパラメータのうちの１つの第２の値を得るために、前記第１のRATの前記QoSパラメータのうちの１つの第１の値に式を適用することを含み、前記第2の値は、前記第１の値とは異なり、
前記第２のRATの変換されたQoSパラメータを用いるハンドオーバーを実行するロジックと、なお、前記ハンドオーバーは前記第１のRATを利用する第１のネットワークから前記第２のRATを利用する第２のネットワークへである、
を具備し、
前記第１及び第２のRATのうちの１つは、コード分割多元接続(CDMA) 高レートパケットデータ(HRPD) RATを構成し、前記CDMA HRPD RATの前記QoSパラメータは冗長モードのCDMA HRPDに関連するパラメータを構成する、ワイヤレス交信の装置。
【請求項１０】
前記第１及び第２のRATの、CDMA HRPD RATを構成しない他の１つは、標準のエレクトリカルアンドエレクトロニクスエンジニアーズ（IEEE）802.16ファミリーの協会の１つ又はそれ以上の標準に従っているRATを構成している請求項９記載の装置。
【請求項１１】
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目で構成される、請求項１０記載の装置。
【請求項１２】
前記冗長モードのCDMA HRPDに関連するパラメータは、トラフィッククラス、ピークレート、トークンバケットサイズ(Bucket_size)、トークンレート、最大期間(Max_latency)、最大インターネットプロトコールパケットロスレート(Max_IP_packet_loss_rate)、メディアンパケットサイズ(Packet_size)、及び遅延変動感度(Delay_var_sensitive)インジケータを含むグループから選択された少なくとも１つの項目で構成される、請求項９記載の装置。
【請求項１３】
インストラクションを格納したコンピュータ読み取り可能な記録媒体であって、前記インストラクションは１つ又はそれ以上のプロセッサにより実行可能であり、前記インストラクションは、
第１の無線アクセス技術 (RAT)のサービス品質(QoS)パラメータを決定するインストラクションと、
前記第１のRATの前記QoSパラメータを、第２のRATのQoSパラメータに変換するインストラクション、ここにおいて前記QoSパラメータを変換するインストラクションは、前記第２のRATの前記QoSパラメータのうちの１つの第２の値を得るために、前記第１のRATの前記QoSパラメータのうちの１つの第１の値に式を適用するインストラクションを含み、前記第2の値は、前記第１の値とは異なり、
前記第２のRATの変換されたQoSパラメータを用いるハンドオーバーを実行するインストラクションと、前記ハンドオーバーは前記第１のRATを利用する第１のネットワークから前記第２のRATを利用する第２のネットワークへである、
を構成しており、
前記第１及び第２のRATのうちの１つは、コード分割多元接続(CDMA) 高レートパケットデータ(HRPD) RATを構成し、前記CDMA HRPD RATの前記QoSパラメータは冗長モードのCDMA HRPDに関連するパラメータを構成する、コンピュータ読み取り可能な記録媒体。
【請求項１４】
前記第１及び第２のRATの、CDMA HRPD RATを構成しない他の１つは、標準のエレクトリカルアンドエレクトロニクスエンジニアーズ（IEEE）802.16ファミリーの協会の１つ又はそれ以上の標準に従っているRATを構成している請求項１３記載のコンピュータ読み取り可能な記録媒体。
【請求項１５】
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目で構成される、請求項１４記載のコンピュータ読み取り可能な記録媒体。
【請求項１６】
前記冗長モードのCDMA HRPDに関連するパラメータは、トラフィッククラス、ピークレート、トークンバケットサイズ(Bucket_size)、トークンレート、最大期間(Max_latency)、最大インターネットプロトコーパケットロスレート(Max_IP_packet_loss_rate)、メディアンパケットサイズ(Packet_size)、及び遅延変動感度(Delay_var_sensitive)インジケータを含むグループから選択された少なくとも１つの項目で構成される、請求項１３記載のコンピュータ読み取り可能な記録媒体。
【発明の詳細な説明】
【技術分野】
【０００１】
優先権の主張
本出願は、"Method and System for QoS Translation during Handover between WiMAX and HRPD Network "（ワイヤレスネットワーク間でハンドオーバー中にQoS変換するための方法及びシステム)という題名を有し、2009年2月13日に出願され、この出願の譲受人に対して譲渡され及び全目的のために引用によってここにおいて完全に組み入れられている、米国仮特許出願シリアル番号６１／１５２，３５からの優先権の利益を主張するものである。
【背景技術】
【０００２】
本開示のある幾つかの実施形態は、一般にワイヤレス交信に関するもので、特に２つの無線アクセス技術間のサービス品位のパラメータの変換のための方法及びシステムに関する。
【発明の概要】
【０００３】
幾つかの実施形態は、ワイヤレス交信のための方法を提供する。この方法は、一般に、第１の無線アクセス技術(RAT)のサービス品質(QoS)パラメータを決定すること、前記第１のRATの前記QoSパラメータを第２のRATのQoSパラメータに変換すること、そして、前記第１のRATを使用しているネットワークから、前記変換されたQoSパラメータを使用している前記第２のRATを使用している他のネットワークへのハンドオーバーを実行することを含む。
【０００４】
幾つかの実施形態は、ワイヤレス交信のための装置を提供する。この装置は、一般に、第１の無線アクセス技術(RAT)のサービス品質(QoS)パラメータを決定する手段と、前記第１のRATの前記QoSパラメータを第２のRATのQoSパラメータに変換する手段と、そして、前記第１のRATを使用しているネットワークから、前記変換されたQoSパラメータを使用している前記第２のRATを使用している他のネットワークへのハンドオーバーを実行する手段とを含む。
【０００５】
幾つかの実施形態は、ワイヤレス交信のための装置を提供する。この装置は、一般に、第１の無線アクセス技術（RAT）のサービス品質（QoS）パラメータを決定するロジックと、前記第１のRATの前記QoSパラメータを第２のRATのQoSパラメータに変換するロジックと、そして、前記第１のRATを使用しているネットワークから、前記変換されたQoSパラメータを使用している前記第２のRATを使用している他のネットワークへのハンドオーバーを実行するロジックとを含む。
【０００６】
本開示の幾つかの実施形態では、ワイヤレス交信のためのコンピュータプログラム製品を提供するもので、インストラクションを格納したコンピュータ可読媒体を備えており、前記インストラクションは１つ又はそれ以上のプロセッサにより実行可能である。前記インストラクションは、一般に、第１の無線アクセス技術(RAT)のサービス品質(QoS)パラメータを決定するインストラクションと、前記第１のRATの前記QoSパラメータを第２のRATのQoSパラメータに変換するインストラクションと、そして、前記第１のRATを使用しているネットワークから、前記変換されたQoSパラメータを使用している前記第２のRATを使用している他のネットワークへのハンドオーバーを実行するインストラクションとを含む。
【０００７】
上で列挙した本開示の特徴を有する方法が詳細に理解されることができるように、実施例が参照されることにより、ある実施例は添付図に示されているが、更なる特別な説明、簡単な要約が用いられる。しかしながら、添付図は、この記述におけるある特別の実施例のみを示しており、それ故、実施例の概念の限定として考慮されるべきでなく、説明は他の等価で効果的な実施形態を収容することができるものとして考慮されるべきである。
【図面の簡単な説明】
【０００８】
【図１】図１は、本開示の幾つかの実施形態によるワイヤレス交信システムの例を示す図である。
【図２】図１は、本開示の幾つかの実施形態によるワイヤレス交信装置に使用されることができる各種のコンポーネントを示す図である。
【図３】図３は、直交周波数分割多重及び直交周波数分割多元接続(OFDM/OFDMA)技術を使用したワイヤレス交信システムの中に使用される、本開示の幾つかの実施形態による送信機の例及び受信器の例を示す図である。
【図４】図4は、ワールドワイドインターオペラビリティーフォーマイクロウエブアクセス(WiMAX)とコード分割多元接続(CDMA)ハイレートパケットデータ(HRPD)ネットワーク間で切換る、本開示の幾つかの実施形態によるモバイル基地の例を示す図である。
【図５】図５は、本開示の幾つかの実施形態により、第１の無線アクセス技術(RAT)のサービス(QoS)パラメータの品質を第２のRATに変換可能な動作の例を示す図である。
【図５Ａ】図５Ａは、図５に示した動作を実行することが可能なコンポーネントの例を示す図である。
【図６】図６は、異なる伝達タイプに関するWiMAX標準のQoSパラメータのテーブル構成例を示す図である。
【図７Ａ】図７Ａは、本開示の幾つかの実施形態において、CDMA HRPDの一般的なデータサービスのQoSパラメータを、WiMAX標準のQoSパラメータに変換する例を示す図である。
【図７Ｂ】図７Ｂは、本開示の幾つかの実施形態において、CDMA HRPDの一般的なデータサービスのQoSパラメータを、WiMAX標準のQoSパラメータに変換する例を示す図である。
【図７Ｃ】図７Ｃは、本開示の幾つかの実施形態において、CDMA HRPDの一般的なデータサービスのQoSパラメータを、WiMAX標準のQoSパラメータに変換する例を示す図である。
【図７Ｄ】図７Ｄは、本開示の幾つかの実施形態において、CDMA HRPDの一般的なデータサービスのQoSパラメータを、WiMAX標準のQoSパラメータに変換する例を示す図である。
【図７Ｅ】図７Ｅは、本開示の幾つかの実施形態において、CDMA HRPDの一般的なデータサービスのQoSパラメータを、WiMAX標準のQoSパラメータに変換する例を示す図である。
【図７Ｆ】図７Ｆは、本開示の幾つかの実施形態において、CDMA HRPDの一般的なデータサービスのQoSパラメータを、WiMAX標準のQoSパラメータに変換する例を示す図である。
【図８Ａ】図８Ａは、CDMA HRPDのスピーチサービスのQoSパラメータを、WiMAX標準のQoSパラメータに変換する例を示す図である。
【図８Ｂ】図８Ｂは、CDMA HRPDのスピーチサービスのQoSパラメータを、WiMAX標準のQoSパラメータに変換する例を示す図である。
【図８Ｃ】図８Ｃは、CDMA HRPDのスピーチサービスのQoSパラメータを、WiMAX標準のQoSパラメータに変換する例を示す図である。
【図８Ｄ】図８Ｄは、CDMA HRPDのスピーチサービスのQoSパラメータを、WiMAX標準のQoSパラメータに変換する例を示す図である。
【図９】図９は、CDMA HRPDのオーディオサービスのQoSパラメータを、WiMAX標準のQoSパラメータに変換する例を示す図である。
【図１０】図１０は、CDMA HRPDのビデオサービスのQoSパラメータを、WiMAX標準のQoSパラメータに変換する例を示す図である。
【図１１】図１１は、CDMA HRPDのテキストサービスのQoSパラメータを、WiMAX標準のQoSパラメータに変換する例を示す図である。
【図１２】図１２は、CDMA HRPDの合図（signaling）サービスのQoSパラメータを、WiMAX標準のQoSパラメータに変換する例を示す図である。
【図１３】図１３は、CDMA HRPDのゲームサービスのQoSパラメータを、WiMAX標準のQoSパラメータに変換する例を示す図である。
【発明を実施するための形態】
【０００９】
ここで用いられている用語である「模範的な」は、「一例として供する、実例、又はイラスト・図解など」を意味する。 ここで「模範的な」ものとして説明されたどの実施例でも、他の実施例を超えた好ましい或いは優位なものとして解釈する必要はない。
【００１０】
マルチモード移動局(MS)は、第１の無線アクセス技術(RAT)によりサポートされている、ワールドワイドインターオペラビリティーフォーマイクロウエブアクセス(WiMAX)のようなネットワークから、第２のRATによりサポートされている、コードディビジョンマルチプルアクセス(CDMA) HRPD (High Rate Packet Data) ネットワークのようなネットワークへ、ハンドオーバーすることができる。シナリオ（想定）の一例は、アイドルハンドオーバーであり、WiMAXサービスフロー或いはHRPD IPフローに関してアイドル状態にあるＭＳがこれらの２つの技術間で切換る例である。他のシナリオ（想定）の一例は、トラフィックハンドオーバーであり、データトラフィックを持ちながらMSがこれらの２つの技術間で切換る例である。
【００１１】
第１のRATから第２のRATにハンドオーバーする場合に提供されたチャレンジとしては、２つの技術はQoSパラメータを特定するために、実質的に異なる方法を有するので、サービス(QoS)パラメータによる適切な品位が維持されることを確実にすることである。
【００１２】
模範的なワイヤレス交信システム
ここで説明される技術は、直交多重方式に基づく交信システムを含む、様々な広帯域ワイヤレス交信システムのために使用されることができる。そのような交信システムの例は、直交周波数分割多元接続(OFDMA)システム、単一キャリア周波数分割多元接続(OFDMA)システム、などを含む。OFDMAシステムは、直交周波数分割多元接続(OFDMA)システムを利用しており、これは、全体システムのバンド幅を多数の直交サブキャリアに区分する変調技術である。これらのサブキャリアは、トーンズ、ビンズ、その他の名で呼ばれてもよい。OFDMAに関して、各サブキャリアはデータにより独立して変調されることができる。SC-FDMAシステムは、システムの帯域幅に渡って分配されたサブキャリアで伝送するためにインターリーブドFDMA(IFDMA)、又は隣接サブキャリアのブロックで伝送するためにローカル化されたFDMA（LFDMA)、又は隣接するサブキャリアの多数ブロックで伝送するために強化されたFDMA(EFDMA)を利用することができる。一般に、変調シンボルは、OFDMに関しては周波数領域で、SC-FDMAに関しては時間領域で送られる。
【００１３】
直交多重方式に基づく交信システムの１つの例は、WiMAXシステムである。ワールドワイドインターオペラビリィティーフォーマイクロウエブアクセスに準拠する、WiMAXシステムは、標準ベースの広帯域ワイヤレス技術であり、長距離に渡って高いスループット広帯域接続を提供する。これらは、今日では、２つのWiMAX主なアプリケーションがあり、固定WiMAX及び移動WiMAXの２つのメインアプリケーションである。固定WiMAXアプリケーションは、１箇所対複数個所であり、例えば家庭・住居と会社・企業 に対しての広帯域アクセスを可能とする。移動WiMAXは、OFDM及びOFDMAに基づいており、広帯域スピードでのセルラーネットワークでの十分な機動性を提供する。
【００１４】
エレクトリカルアンドエレクトロニクスエンジニアーズ（IEEE）８０２．１６ｘの協会は、固定及び移動の広帯域ワイヤレスアクセス（BWA）システムのエアーインターフェースを定義するための現存の標準組織である。IEEE８０２．１６ｘは、IEEEP８０２．１６ｄ／Ｄ５−２００４を２００４年５月に固定BWAシステムとして認可し、IEEEP８０２．１６ｅ／Ｄ１２を２００５年の１０月に移動BWAシステムとして発行した。これらの２つの標準は、４つの異なる物理層（PHY）と１つメディアアクセスコントロール（MAC）層を定義している。４つの物理層のうちのOFDM及びOFDMA物理層は、固定及び移動BWA領域ではそれぞれ、最もポピュラーなものである。
【００１５】
図１は、ワイヤレス交信システム１００の一例を示している。ワイヤレス交信システム１００は、広帯域ワイヤレス交信システムであることができる。ワイヤレス交信システム１００は、多数のセル１０２に対して交信を提供でき、セル各々は基地局１０４によりサービスを受ける。基地局１０４は、ユーザ端末１０６と交信を行う固定局であり得る。基地局１０４は、アクセスポイント、ノード（Node）B,或いはある他の端末用語で呼ばれてもよい。
【００１６】
図１は、システム１０を通じて分散される種々のユーザ端末１０６を示している。ユーザ端末１０６は、固定（例えば基地化）又は移動されることができる。ユーザ端末１０６は、リモート基地、アクセス端末、端末、加入者ユニット、移動基地、基地、ユーザ装置、その他などと称されてもよい。ユーザ端末１０６は、ワイヤレス装置であることができ、セルラーホーン、パーソナルデジタルアシスタント（PDA）、携帯装置、ワイヤレスモデム、ラップトップコンピュータ、パーソナルコンピュータ（PC）、その他のワイヤレス装置として可能である。
【００１７】
多様なアルゴリズム及び方法が、基地局１０４とユーザ端末１０６間のワイヤレス交信システム１００において伝達のために使用されることができる。例えば、信号が、OFDM／OFDMA技術に従って基地局１０４とユーザ端末１０６間で送受信されてもよい。もしこのような場合であれば、ワイヤレス交信システム１００は、OFDM／OFDMAシステムとして称されてもよい。
【００１８】
基地局１０４からユーザ端末１０６への伝送を容易にする交信リンクは、ダウンリンク１０８として称されてもよく、ユーザ端末１０６から基地局１０４への伝送を容易にする交信リンクは、アップリンク１１０と称されてもよい。代わって、ダウンリンク１０８はフォワードリンク或いはフォワードチャンネルと称されてもよく、アップリンク１１０はリバースリンクあるいはリバースチャンネルと称されてもよい。
【００１９】
セル１０２は複数のセクタ１１２に分割されてもよい。セクタ１１２はセル１０２内の物理カバー領域である。ワイヤレス交信システム１００内の基地局１０４は、セル１０２の特殊セクタ１１２内の電力フローを集中させるアンテナを利用することができる。そのようなアンテナは、指向性アンテナと称されることができる。
【００２０】
図２は、ワイヤレス装置２０２に利用されることができる様々なコンポーネントを示している。ワイヤレス装置２０２は、ここで説明される各種の方法を実現するために構成されることができる装置の例である。ワイヤレス装置２０２は、基地局１０４或いはユーザ端末１０６であることができる。
【００２１】
ワイヤレス装置２０２は、ワイヤレス装置２０２の動作を制御するプロセッサ２０４を含むことができる。プロセッサ２０４は、また中央処理ユニット（CPU）と称されることができる。リードオンリーメモリ（ROM）及びランダムアクセスメモリ（RAM）を含むメモリ２０６は、プロセッサ２０４に対してインストラクション及びデータを提供することができる。メモリ２０６の一部は、また、不揮発性ランダムアクセスメモリ（NVRAM）を含んでも良い。プロセッサ２０４は、メモリ２０６に格納されているプログラムインストラクションに基づいて、特に論理及び演算動作を実行する。メモリ２０６内のインストラクションは、ここで説明される方法を実現するために実行可能である。
【００２２】
ワイヤレス装置２０２は、また、ワイヤレス装置２０２と遠隔地間でデータの送信及び受信を行う送信機２１０及び受信機２１２を含むハウジング２０８を含むことができる。送信機２１０及び受信機２１２は、トランシーバ２１４の中に組み合わせられることができる。アンテナ２１６がハウジング２０８に取り付けられており、トランシーバ２１４に電気的に接続されている。ワイヤレス装置２０２は、また、複数の送信機、複数の受信機、複数のトランシーバ、及び又は複数のアンテナを含むこともできる（図示せず）。
【００２３】
ワイヤレス装置２０２は、また、トランシーバ２１４で受信された信号のレベルを検出して修正適正にするための専任の中で使用できる信号検出器２１８を含むことができる。信号検出器２１８は、パイロットサブキャリアからのパイロットエネルギー、若しくはプリアンブルシンボル、パワースペクトラム密度、及び他の信号からの信号エネルギー、トータルエネルギーのような信号を検出することができる。またワイヤレス装置２０２は、また、信号を処理するのに使用するためのデジタル信号プロセッサ（DSP）２２０を含むことができる。
【００２４】
ワイヤレス装置２０２の種々のコンポーネントは、データバスに加えて、パワーバス、コントロール信号バス、及び状態バスを含むバスシステム２２２により結合されることができる。
【００２５】
図３は、OFDM/OFDMAを利用するワイヤレス交信システム１００内に使用できる送信機３０２の例を示している。送信機３０２の一部分はワイヤレス装置２０２の送信機２０２の中に実装されてもよい。送信機３０２は、ダウンリンク１０８でユーザ端末１０６へデータを伝送するために基地局１０４の中に実装されることができる。送信機３０２は、またアップリンク１１０で、基地局１０４へデータを伝送するためにユーザ端末１０６の中に実装されることができる。
【００２６】
伝送されるデータ３０６は、シリアルパラレル(S/P)変換器３０８への入力として用意されて示されている。S/P変換器３０８は、Ｎ個の並列データストリーム３１０に伝送データを分離することができる。
【００２７】
次に、Ｎ個の並列データストリーム３１０は、マッパー３１２への入力として用意される。マッパー３１２は、Ｎ個の並列データストリーム３１０をＮ個の座標位置上に配置（map）することができる。このマッピング(mapping)は、２値位相シフトキーイング（BPSK）、直交位相シフトキーイング（QPSK）８位相シフトキーイング（8PSK）、直交振幅変調（QAM）、その他のような、ある座標変調を用いて行うことができる。故に、マッパー３１２は、Ｎ個の並列シンボルストリーム３１６を出力することができ、各シンボルストリーム３１６は逆高速フーリエ変換（IFFT）コンポーネント３２０のＮ個の直交サブキャリアの１つに対応する。これらのＮ個の並列シンボルストリーム３１６は、周波数領域で再現でき、そしてIFFTコンポーネント３２０によりＮ個の並列時間領域サンプルストリーム３１８に変換されることができる。
【００２８】
技術用語について簡単な説明を行う。周波数領域におけるＮ個の並列変調は、周波数領域のＮ個の変調シンボルに等しく、これらは周波数領域のＮ個のマッピングやＮポイントIFFTに等しく、これは時間領域で１つの（有用）なOFDMシンボルに等しく、これは時間領域でＮ個のサンプルに等しい。時間領域の１つのOFDMシンボル、Ns、は、Ncp（OFDMシンボル当たりのガードサンプルの数）＋N（OFDMシンボル当たり有用なサンプル数）に等しい。
【００２９】
Ｎ個の並列な時間領域サンプルストリーム３１８は、並列・直列（P/S)変換器３２４により、OFDM/OFDMAストリームシンボル３２２に変換される。ガード挿入コンポーネント３２６は、OFDM/OFDMAストリームシンボル３２２の連続したOFDM/OFDMAシンボル間に、ガードインターバルを挿入することができる。ガード挿入コンポーネント３２６の出力は、次いで、高周波（RF)フロントエンド３２８により所望の伝送周波数帯域にアップコンバートされる。アンテナ３３０は、次いで、結果信号３３２を送出する。
【００３０】
図３は、また、OFDM/OFDMAを利用するワイヤレス交信システム１００の受信機３０４の例を示している。受信機３０４の一部分は、ワイヤレス装置２０２の受信機２１２の中に実装されてもよい。受信機３０４は、ダウンリング１０８で基地局１０４からのデータ３０６を受信するためのユーザ端末１０６内に実装されてもよい。また受信機３０４は、アップリングでユーザ端末１０６からのデータ３０６を受信するための基地局１０４内に実装されてもよい。
【００３１】
伝送された信号３３２は、ワイヤレスチャンネル３３４を通して伝播しているように示されている。信号３３２’が、アンテナ３３０’で受信されたとき、受信信号３３２’はRFフロントエンド２３８’によりベースバンド信号にダウンコンバートされることができる。ガード除去コンポーネント３２６’は、ガード挿入コンポーネント３２６によりOFDM/OFDMAシンボル間に挿入されていたガードインターバルを取り除くことができる。
【００３２】
ガード除去コンポーネント３２６’の出力は、S/P変換器３２４’に提供される。S/P変換器３２４’は、OFDM/OFDMAシンボルストリーム３２２’を、Ｎ個の並列時間領域シンボルストリーム３１８’に分配することができ、それぞれは、Ｎ個の直交サブキャリアの１つに対応する。高速フーリエ変換(FFT)コンポーネント３２０’は、Ｎ個の並列時間領域シンボルストリーム３１８’を、周波数領域に変換し、Ｎ個の並列周波数領域シンボルストリーム３１６’を出力することができる。
【００３３】
逆マッパー（demapper)３１２’は、マッパー３１２で実行されたマッピング動作の逆を実行することができ、そこで、Ｎ個の並列データストリーム３１０’出力する。P/S変換器３０８’は、Ｎ個の並列データストリーム３１０’を単一データストリーム３１０’に結合することができる。理想的には、このデータストリーム３０６’は、前記送信機３０２で提供されたデータ３０６’に対応する。
【００３４】
WiMAXとHRPD ネットワーク間での模範的なQOS変換
マルチモード移動局(MS)は、第１の無線アクセス技術(RAT)でサービスされるネットワークから第２のRATでサービスされるネットワークへのハンドオーバーを実行することができる。例えば、MSは、WiMAXネットワークからコード分割多元接続(CDMA) HRPD(高レートパケットデータ)ネットワークへハンドオーバーすることができ、また、その逆も可能である。
【００３５】
上記の留意点として、あるシナリオ（想定）の一例は、アイドルハンドオーバーであり、WiMAXサービスフロー或いはHRPD IPフローを使用したアイドル状態にあるＭＳがこれらの２つのRAT間で切換る例である。他のシナリオ（想定）の一例は、トラフィックハンドオーバーであり、データトラフィックを持ちながらＭＳがこれらの２つのRAT間で切換る例である。
【００３６】
本開示における幾つかの実施形態は、サービス品質(QoS)パラメータを１つのRATから他のRATのQoSパラメータに変換するための技術を提供する。そのような変換は、例えば、WiMAXサービスフローとCDMA HRPD IPフロー（又は高周波リンクプロトコールフロー；Radio Link Protocol (RLP) flow）間で、QoSパラメータを変換することにより、ハンドオーバー手続の後のトラフィックフローの維持を手だすけることができる。前記２つの技術がQoSパラメータを特定するための実質的に異なる方法を有するので、該変換は必要とされるものである。QoSパラメータ間の変換は、移動基地、ネットワーク側（例えば基地局）、或いは両方で実行されることができる。
【００３７】
図４は、WiMAXネットワークからCDMA HRPDネットワークに切換る移動基地を用いた、及びCDMA HRPDネットワークからWiMAXネットワークに切換る移動基地を用いたシナリオの例を示している。
【００３８】
図示された例において、第１のMS１０６１は、CDMA HPRDネットワーク（セル４０２）からWiMAXネットワーク（セル１０２）へハンドオーバーし、一方、第２のMS１０６２は、WiMAXネットワークからCDMA HPRDネットワークへハンドオーバーしている。この例において、各MSは、２つの技術間で、QoSパラメータを変換できる必要がある。
【００３９】
図５は、本開示における幾つかの実施形態にしたがって第１の無線アクセス技術(RAT)のQoSパラメータを第２のRATに変換することが可能な動作の例を示している。５０２において、第１のRATのQoSパラメータが決定される。例えば、第１のRATは、WiMAXであることができる。５０４において、第１のRATのQoSパラメータが第２のRATのQoSパラメータへ伝送される。例えば、第２のRATは、CDMA HRPDであることができる。伝送の後、２つの技術間でのハンドオーバーは、５０６で実行される。
【００４０】
図６は、データ伝達（data delivery)が異なるタイプに対するWiMAX標準内における、QoSフローパラメータの例に関するテーブルを示している。このテーブルにおいて、要求されたパラメータは、Ｘでマークされたものであることに留意されたい。示されるように、アンソリシテッドグラントサービス（Unsolicited Grant Service (UGS)）、エクステンディドリアルタイムバリアブルレートサービス（Extended real-time variable rate (ERT-VR) service）、リアルタイムバリアブルレートサービス（Real-time variable rate (RT-VR) service）、ノンリアルタイムバリアブルレートサービス（Non-real-time variable rate (NRT-VR) service）、及びベストエフォートサービス（Best-effort (BE) service）は、異なるQoS要求を有する。
【００４１】
CDMA HRPD技術において、QoSフローパラメータは、3GPP2標準内(例えばQOS_ATTRIBUTE_SET内)で特定されている。２つのオプションモード：冗長モード（verbose）又は非冗長モード（non-verbose）がある。冗長モードとしては、次のようなパラメータが要求されるもので、つまりトラフィッククラス３ビット(Traffic_Class, 3 bits)であり、この中で０、１、２、３及び４は、それぞれ未知形態（Unknown）、会話形態（Conversational）、ストリーム形態（Streaming）、相互作用形態（Interactive）及び背景形態（Background）、そして5-7は、予備形態（Reserved）であることを提示している。ピークレート(Peak_Rate)、トークンバケットサイズ(Bucket_size)及びトークンレート(Token_Rate)は、１６ビットで表され、秒当たり２５６バイト単位で決定される。最大期間(Max_latency)は、１０ｍｓ単位の８ビットにより表すことができる。最大インターネットプロトコールパケットロスレート(Max_IP_packet_loss_rate)は、１０（-n/4）単位の５ビットにより表すことができる。メディアンパケットサイズ(Packet_size)は、８ビットで表されることができ、その中ではパケットサイズ手段が８バイトの単位で示されており、遅延変動感度(Delay_Var_Sensitive)インジケータが１ビットで表されることができ、ここでは１と０が、遅延感度システムであることと、遅延感度でないシステムであることをそれぞれ示している。
【００４２】
CDMA HRPDの非冗長モードとして、3GPP2標準は、QoSパラメータを要約するための１６ビットフロープロファイルＩＤ（FlowProfileID）を定義しており、その詳細が図７−１３のテーブルに提示されている。
【００４３】
本開示の幾つかの実施形態は、WiMAXとCDMA HRPDネットワーク間のQoSパラメータの変換技術を提供し、ネットワーク間のマルチモード移動局のハンドオーバーを容易にする技術である。
【００４４】
本開示の幾つかの実施形態に関して、冗長モード内で、WiMAXからCDMA HRPDへのQoSパラメータの変換は、次の式により達成される。
【数１】
0005639084.tif 000002
【数２】
0005639084.tif 000003
【数３】
0005639084.tif 000004
【数４】
0005639084.tif 000005
【００４５】
上記の式において、パラメータaは、設計要素である。もしパケットエラーレートが、自動繰り返し要求（ARQ）及びハイブリッドARQ（HARQ）（つまり、パケットエラーレートの７ビットが０）の後で測定された場合、aは１にセットされることができる。もしパケットエラーレートがARQ及びHARQ（つまりパケットエラーレートの７ビットが１）の前に測定された場合には、aは、１よりも小さい値（例えば０．１）にセットされることができる。
【００４６】
幾つかの実施形態に関して、CDMA HRPDのためのパケットサイズ、遅延変動感度及びトークンレートは、次の式に従って選択されることができる。
【数５】
0005639084.tif 000006
【数６】
0005639084.tif 000007
【００４７】
ここでサービスデータユニット(SDU)サイズはSDUパケットのサイズを提供しており、Uは、設計要素であり、最大維持トラフィックレートと最小予約トラフィックレート間の値を持つ。
【００４８】
バケットサイズパラメータは、次の式に従って計算されることができる。
【００４９】
バケットサイズ* 2048 / t +トークンレート* 2048
=最大維持トラフィックレート
ここでt は最大維持トラフィックレートによって割られた最大トラフィックバーストの値に等しい。
【００５０】
本開示の幾つかの実施形態に関して、非冗長モードでのWiMAXからCDMA HRPDへの変換は、以下に説明するように定義される。幾つかの実施形態に関する、データ配達若しくは引渡し（delivery）のUGS,ERT-VR,及びRT-VRタイプは、以下のパラメータを使用したフロープロファイルＩＤ（FlowProfileID）=5乃至20を用いる総括的なデータサービスにマップされることができる。
【００５１】
最小の許容可能なユーザデータレート
= f1(最小の予約トラフィックレート),
ここで
【数７】
0005639084.tif 000008
【数８】
0005639084.tif 000009
【００５２】
幾つかの実施形態に関して、データ配達のNT-VRタイプは、以下のパラメータを使用したフロープロファイルID（FlowProfileID）=40乃至60を用いる総括データサービスにマップされることができる。
【数９】
0005639084.tif 000010
【００５３】
幾つかの実施形態に関して、データ配分のBEタイプはフロープロファイルID(FlowProfileID) = 0(ベストエフォート(best effort))にマップされることができる。
【００５４】
本開示の幾つかの実施形態に関して、冗長モードのCDMA HRPDからWiMAXにQoSパラメータを変換するために、以下のパラメータが使用される、
【数１０】
0005639084.tif 000011
【００５５】
対話形態、ストリーミング形態、相互作用形態及び背景形態のモードに関して、最大維持トラフィックレートは、以下のように定義されることができる。
【００５６】
最大維持トラフィックレート=ピークデータレート*2048、
対話形態、ストリーミング形態、相互作用形態及び背景形態のモードに関して、最小予約トラフィックレートは、以下のように定義されることができる。
【００５７】
最小予約トラフィックレート
=最小{トークンレート*2048,ピークデータレート*b},
ここでb1が設計要素である。
【００５８】
対話形態及びストリーミング形態のモードに関して、最大期間は次のように定義されることができる。
【００５９】
最大期間=最大期間（Max_Latency）*10,
パケットエラーレートは、以下のように定義できる、またそれは、最大ＩＰパケット喪失レート(Max_IP_Packet_Loss_Rate)が分かっている場合、ARQ及びHARQの後で測定されることができる。
【００６０】
パケットエラーレート= 10-(Max_IP_Packet_Loss_Rate/4)
最大トラフィックバーストは、次の式により計算されることができる。
【００６１】
トークンレート*2048+バケットサイズ*2048/t
=最大維持トラフィックレート
最大トラフィックバースト/最大維持トラフィックレート= t
本開示における幾つかの実施形態に関して、QoSパラメータは、CDMA HRPDの非冗長モードからWiMAXへ以下のように変換されることができる。
【００６２】
図７Ａ−図７Ｆは、CDMA HRPDジェネリックデータサービスのQoSパラメータを、WiMAX標準のQoSパラメータに、本開示の幾つかの実施形態に従って、変換する例を示している。CDMA HRPDジェネリックデータサービスの非冗長モードからWiMAXにQoSを変換するルールは、以下に説明するように実装される。ストリーミングは、データ配分のRT-VRタイプに変換されることができる。最大期間（Max latency）=100ms は、データ配分のタイプRT-VRに変換される。そうしないと、データ配分のベストエフォートタイプにマップされることができるプロファイルIDがゼロに等しい（つまりベストエフォート）こと無しで、残りのプロファイルIDが、データ配分のタイプNRT-VRにマップされることになる。
【００６３】
WiMAXにおいて最小予約トラフィックレート(mRTR)は、CDMA HRPD内で特定された内容に等しくなることができる。最大持続トラフィックレート(MSTR)は、mRTRと設計要素c1とを掛けることによって計算することができる。データ配分のBEタイプに関して、MSTRは設計要素R1を利用することができる。RT-VRのための最大期間は、ストリーミングデータ以外は、100 msであることができ、MLは、設計要素Lに変換されることができる。パケットエラーレート(PER)は、CDMA HRPD内で特定されて維持され、ARQ及びHARQの後で測定される。ポーリングインターバルは、最大期間と設計要素c2とを掛けることによって計算される。
【００６４】
図８Ａ−８Ｄは、本開示の幾つかの実施形態に従って、CDMA HRPDスピーチサービスのQoSパラメータをWiMAXのQoSパラメータに変換する例を示している。以下のルールが、CDMA HRPDの非冗長モードからWiMAXスピーチサービスにQoSを変換するために使用される。
【００６５】
会話形態(Conversational)、フルレート(full rate)、フレーム束なし(no frame bundling)が、USGに変換される。Nフレーム束の最大数を伴う、会話形態は、データ配達のタイプERT-VRに変換され、ストリーミング形態はデータ配達のタイプRT-VRに変換される。第１のレートセットの最小予約トラフィックレートは、9.6 kbpsに変換され、第２のレートセットのそれは14.4 kbpsに変換され、差異を特定されることなく、第１のレートセットの半分のそれは、9.6 kbps × 1/2に変換される。
【００６６】
最大維持トラフィックレートは、mRTRと（N）の束の最大フレーム数とが掛けて計算される。フレーム束及びフルレート以外のケースに関しては、MSTRはmRTRに変換されることができる。最大期間は、会話形態の設計要素L1及びストリーミング形態の設計要素L2に変換される。パケットエラーレートは、ARQ及びHARQの後で測定されることができる設計要素E1に変換されることができる。ポーリングインターバルは、最大期間に設計要素c2を掛けることで計算できる。UGSのための非要請の承認期間（Unsolicited Grant Interval）は、20 msに等しい。
【００６７】
図９は、本開示の幾つかの実施形態に従って、異なるプロファイルＩＤに関するCDMA HRPDのQoSパラメータを、WiMAXのQoSにパラメータ変換する例を示している。本開示の幾つかの実施形態に関して、次のルールが、CDMA HRPDオーディオサービスの非冗長モードからWiMAXに変換するために使用される。ストリーム形態は、データ配達のタイプRT-VRに変換される。最小予約トラフィックレートは、HRPDで特定された内容に類似している。
【００６８】
最大維持トラフィックレートは、設計要素c3が掛けられた、mRTRに変換されることができる。最大期間は、設計要素L3に等しくなる。パケットエラーレートは、ＡＲＱ及びＨＡＲＱの後で測定されることができる設計要素E2に変換されることができる。
【００６９】
図１０は、本開示の幾つかの実施形態に従って、異なるプロファイルＩＤに関するCDMA HRPDビデオサービスのQoSパラメータを、WiMAX標準のQoSパラメータに変換する例を示している。本開示の幾つかの実施形態に関して、以下のルールが、CDMA HRPDビデオサービスの非冗長モードからWiMAXにQoSを変換するために使用される。会話形態は、データ配達のタイプERT-VRに変換されることができ、ストリーミング形態は、データ配達のタイプRT-VRに変換されることができる。
【００７０】
最小予約トラフィックレートは、HRPDで特定された内容に類似する。最大維持トラフィックレートは、設計要素c4が掛けられたmRTRに等しくなることができる。最大期間は、会話太陽のための設計要素L4、及びストリーミングのためのL5に等しくなることができる。パケットエラーレート(PER)は、ARQ 及び HARQの後で測定される設計要素E3である。ポーリングインターバルは、設計要素c2が掛けられた最大期間に等しくなる。
【００７１】
図１１は、本開示の幾つかの実施形態に従って、CDMA HRPDテキストサービスのQoSパラメータをWiMAX標準のQoSパラメータに変換する例を示している。以下のルールが、CDMA HRPDの非冗長モードからWiMAXテキストサービスにQoSを変換するために使用される。ストリーミング形態は、データ配達のタイプRT-VRに変換されることができる。最小予約トラフィックレート(mRTR)は、設計要素R3に等しい。
【００７２】
最大維持トラフィックレートは、設計要素c5が掛けられたmRTRに変換されることができる。最大期間は、設計要素L8に等しい。パケットエラーレートは、ARQ及びHARQの後で測定される、設計要素E4に等しくなることができる。ポーリングインターバルは、設計要素c2が掛けられた最大期間に等しくなることができる。
【００７３】
図１２は、本開示の幾つかの実施形態に従って、CDMA HRPDシグナリングサービスのQoSパラメータを、WiMAX標準のQoSパラメータに変換する例を示している。CDMA HRPDシグナリングサービスの非冗長モードからWiMAXにQoSを変換するために、以下のルールが使用されることができる。すべてのシグナリングモードは、データ配達のタイプERT-VRに変換されることができる、と言うのはベースバンド幅要求の主張(contention-based bandwidth requests)が許されているからである。
【００７４】
最小予約トラフィックレートは、設計要素R2に等しくなることができる。最大維持トラフィックレートは、設計要素c6が掛けられたmRTRに等しくなることができる。最大期間は、設計要素L6に等しくなることができる。パケットエラーレートは、ARQ及びHARQの後で測定される、設計要素E5に等しくなることができる。ポーリングインターバルは、設計要素c2が掛けられた最大期間に等しくなることができる。
【００７５】
図１３は、本開示の幾つかの実施形態に従って、CDMA HRPDゲームサービスのQoSパラメータを、WiMAX標準のQoSパラメータに変換する例を示している。CDMA HRPDゲームサービスの非冗長モードからWiMAXにQoSを変換するために、以下のルールが使用されることができる。データ配達のタイプは、ERT-VRに等しい、と言うのはベースバンド幅要求の主張(contention-based bandwidth requests)が許されるからである。
【００７６】
最小予約トラフィックレートは、設計要素R3に等しくなることができる。最大維持トラフィックレートは、設計要素c7とmRTRが掛けられることで計算できる。最大期間は、設計要素L7に等しくなることができる。パケットエラーレートは、ARQ及びHARQの後で測定される、設計要素E6に等しくなることができる。ポーリングインターバルは、設計要素c2が掛けられた最大期間に等しくなることができる。
【００７７】
上記したように、本開示の幾つかの実施形態によると相互のRATハンドオーバーを容易にするためにQoSパラメータ変換を行うマルチモードMSを提供している。提示された方法は、WiMAXネットワークからCDMA HRPDネットワーク、及びその逆のMSハンドオーバーが行われたとき、QoS連続（継続）を改善することができる。提示された変換方法は、また、ネットワークで構成或いはMSで考慮すべき幾つかの設計要素を紹介することができる。
【００７８】
上記した方法の種々の動作は、図に示された手段プラス機能に対応する種々のハードウエア及び又はソフトウエアコンポーネント及び又はモジュールにより実現されることが可能である。
【００７９】
一般に、手段プラス機能の図に対応して図に示される方法があり、手段プラス機能ブロックに対応するブロックは同様な符号が付されている。例えば、図５の動作ブロック５００は、図５Ａに示された手段プラス機能ブロック５００Ａに対応する。
【００８０】
ここで使用されているように、語句”決定”はアクションの幅広い変化を含む。例えば、”決定”は計算、計算機で計算する、演算する、処理する、導出する、調査する、調べる（ルックアップテーブル、データベース、あるは他のデータ構成を調べる）、確かめる、など、を含むことができる。
【００８１】
情報及び信号は、何か様々な異なる科学、技術において使用して表される。例えば、データ、インストラクション、コマンド、情報、信号及び上記説明を通して参照されたそのような用語は、電圧、電流、電磁波、電界、或いは微粒子、光フィールド或いは微粒子或いはこれらの組み合わせによって表される。
【００８２】
各種の図示された論理ブロック、モジュール及び本開示に関連して説明された回路などは、一般的な目的の処理器、デジタル信号処理器（DSP）、アプリケーション特定集積回路（ASIC）、フィールドプログラマブルゲートアレイ信号（FPGA）又は他のプログラマブルロジックデバイス（PLD）、ディスクリートゲート或いはトランジスタロジック、ディスクリートハードウエアコンポーネント、又はここで説明された機能を実行するために設計され組み合わせものが実装されてもよい。通常の目的のプロセッサは、マイクロプロセッサ、宣伝に有用なプロセッサ以外、コントローラ、マイクロコントローラ、或いはステイトマシーンがある。プロセッサは、又、計算装置の組み合わせとして実装されてもよい、例えばDSPとマイクロプロセッサ、複数のマイクロプロセッサ、DSPコアとともになった１つ又はそれ以上のマイクロプロセッサ、あるいはその他の構成として実装されていてもよい。
【００８３】
本開示とともに説明された方法或いはアルゴリズムのステップは、ハードウエアで直接実施されてもよい、処理器により実行されるソフトウエアモジュールで実施されてもよい、あるいはこれらの組み合わせで実施されてもよい。ソフトエアモジュールは、本技術分野で知られている格納媒体のあるフォームで存在しても良い。格納媒体のある例は、ランダムアクセスメモリ(RAM)、リードオンリーメモリ(ROM)、フラッシュメモリ、EPROMメモリ、EEPROMメモリ、レジスタ、ハードディスク、リムーバブルディスク、CD-ROMなどを含んで使用されてもよい。ソフトウエアモジュールは、単一のインストラクション或いは多くのインストラクションで構成されてもよい、そして、異なるプログラム間の幾つかの異なるコードセグメント上に分配されてもよい、そして、多数の格納メディアを通過するものであってもよい。格納媒体は、プロセッサが情報を読み取ったり、書き込んだりできるように、そのプロセッサに接続される。代わりに格納媒体が当該プロセッサに内蔵されてもよい。
【００８４】
ここで説明した方法は、１つ又はそれ以上のステップ、或いは説明した方法を達成するためのアクションを構成する。方法ステップ及び又はアクションは、請求項の概念からずれることなく交換することが可能である。言い換えれば、ステップ或いはアクションは特定の順序に限定されるわけではなく、ステップ及びアクションの順序及び又は使用は、請求項の概念からずれることなく変形することが可能である。
【００８５】
説明された機能は、ハードウエア、ソフトウエア、ファームウエア、或いはこれらの組み合わせで実装されることができる。ソフトウエアで実装される場合、機能は１つ若しくはそれ以上のインストラクションとしてコンピュータ読み取り可能な媒体上に格納できる。格納媒体は、コンピュータによりアクセス可能な有用なメディアである。例示に限定されるものではないが、コンピュータ読み取り可能なメディアは、RAM, ROM, EEPROM, CD-ROM或いは他の光ディスクストレージ、磁気ディスクストレージ或いは他の磁気ストレージ装置、或いは、インストラクション或いはデータ構成の所望のプログラムコードで搬送或いは格納に使用されることができる他の媒体、そしてコンピュータによりアクセス可能なものである。ここで使用されるディスクは、コンパクトディスク(CD),レーザディスク, 光学ディスク,デジタルバーサタイルディスク(DVD), フロッピー（登録商標）ディスク及びブルーレイ（登録商標）ディスクであり、ここでディスクは磁気的にデータ再生されたり、光学的にレーザでデータ再生されたりする。
【００８６】
ソフトウエア或いはインストラクションは、また、変換媒体上を伝送されてもよい。例えばソフトウエアが、ウエブサイト、サーバー、或いは同軸ケーブル、光ファイバーケーブル、ツゥィステッドペア（twisted pair）、デジタルサブスクライバーライン（DSL), 或いはインフレアード（infrared）、ラジオ、及びマイクロ波などを使用する他の遠隔ソースから伝送されるならば、上記の同軸ケーブル、光ファイバーケーブル、ツゥィステッドペア（twisted pair）、デジタルサブスクライバーライン（DSL), 或いはインフレアード（infrared）、ラジオ、及びマイクロ波などは、上記伝送媒体に含まれる。
【００８７】
さらに、ここで説明したモジュール及び又は方法及び技術を実行するための適切な手段は、ダウンロードされるか、及び又は別のやり方ではユーザ端末及び又は適用可能な基地局により得られる。例えば、そのような装置は、サーバーに接続されるもので、サーバーはここで説明された方法を実行するための手段の伝送を容易にしている。代わりに、ここで説明した種々の方法は、ユーザ端末及び又は基地局が装置に格納媒体を接続或いは装備する各種の方法で得ることができるように、格納手段（例えばRAM, ROM, ＣＤやフロッピー（登録商標）ディスクなどの物理的媒体）を通して用意されることができる。その上、装置についてここで説明した方法及び技術を用意するための他の適切技術は、利用されてもよい。
【００８８】
請求項は、図示した構成及びコンポーネントに正確に限定されるものではない。請求項の概念から外れない範囲で、各種の変形、変化及びバリエーションが、配置の面、動作及び方法の説明、説明された装置の面で可能である。
【００８９】
本開示の実施例に対して前述のことが述べられている間、本開示の他の及び更なる実施例は、その基本概念から離れることなく工夫されてもよく、そして、その概念が請求項で特定されてもよい。
以下に、本願出願の当初の特許請求の範囲に記載された発明を付記する。
［Ｃ１］
第１の無線アクセス技術 (RAT)のサービス品質(QoS)パラメータを決定すること、及び
前記第１の無線アクセス技術(RAT)の前記QoSパラメータを、第２のRATのQoSパラメータに変換すること
を具備したワイヤレス交信の方法。
［Ｃ２］
前記第１及び第２の無線アクセス技術(RAT)の少なくとも１つは、標準のエレクトリカルアンドエレクトロニクスエンジニアーズ（IEEE）802.16ファミリーの協会の１つ又はそれ以上の標準に従っているRATを構成しているＣ１記載の方法。
［Ｃ３］
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目を構成している、Ｃ２記載の方法。
［Ｃ４］
前記第１及び第２のRATの少なくとも１つは、コード分割多元接続(CDMA)高レートパケットデータ(HRPD) RATを構成するＣ１記載の方法。
［Ｃ５］
前記CDMA HRPD RATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目で構成される冗長モード内のCDMA HRPDに関連したパラメータを構成している、Ｃ４記載の方法。
［Ｃ６］
さらに前記第１のRATを利用する第１のネットワークから前記第２のRATを利用する第２のネットワークへ、変換されたQoSパラメータを用いるハンドオーバーを実行することを含むＣ１記載の方法。
［Ｃ７］
前記第１及び第２のRATの１つは、標準のエレクトリカルアンドエレクトロニクスエンジニアーズ（IEEE）802.16ファミリーの協会の１つ又はそれ以上の標準に従っているRATを構成し、
前記１つのRATのQoSパラメータは、データ伝達のタイプ、最大維持トラフィックレート、最小予約トラフィックレート、最大期間、パケットエラーレート及び最大トラフィックバースト含むグループから選択された少なくとも１つの項目を構成し、
前記第１及び第２のRATの他方は、コード分割多元接続(CDMA) 高レートパケットデータ (HRPD) RATを構成し、そして、
前記他方のRATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目を構成している冗長モードのCDMA HRPDに関連するパラメータを構成する、Ｃ６記載の方法。
［Ｃ８］
第１の無線アクセス技術 (RAT)のサービス品質(QoS)パラメータを決定する手段と、及び
前記第１の無線アクセス技術(RAT)の前記QoSパラメータを、第２のRATのQoSパラメータに変換する手段と
を具備したワイヤレス交信の装置。
［Ｃ９］
前記第１及び第２の無線アクセス技術(RAT)の少なくとも１つは、標準のエレクトリカルアンドエレクトロニクスエンジニアーズ（IEEE）802.16ファミリーの協会の１つ又はそれ以上の標準に従っているRATを構成しているＣ８記載の装置。
［Ｃ１０］
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目を構成している、Ｃ９記載の装置。
［Ｃ１１］
前記第１及び第２のRATの少なくとも１つは、コード分割多元接続(CDMA)高レートパケットデータ(HRPD) RATを構成するＣ８記載の装置。
［Ｃ１２］
前記CDMA HRPD RATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目で構成される冗長モード内のCDMA HRPDに関連したパラメータを構成している、Ｃ１１記載の装置。
［Ｃ１３］
さらに前記第１のRATを利用する第１のネットワークから前記第２のRATを利用する第２のネットワークへ、変換されたQoSパラメータを用いるハンドオーバーを実行する手段を含むＣ８記載の装置。
［Ｃ１４］
前記第１及び第２のRATの１つは、標準のエレクトリカルアンドエレクトロニクスエンジニアーズ（IEEE）802.16ファミリーの協会の１つ又はそれ以上の標準に従っているRATを構成し、
前記１つのRATのQoSパラメータは、データ伝達のタイプ、最大維持トラフィックレート、最小予約トラフィックレート、最大期間、パケットエラーレート及び最大トラフィックバースト含むグループから選択された少なくとも１つの項目を構成し、
前記第１及び第２のRATの他方は、コード分割多元接続(CDMA) 高レートパケットデータ(HRPD)RATを構成し、そして、
前記他方のRATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目を構成している冗長モードのCDMA HRPDに関連するパラメータを構成する、Ｃ１３記載の装置。
［Ｃ１５］
第１の無線アクセス技術 (RAT)のサービス品質(QoS)パラメータを決定するロジックと、及び
前記第１の無線アクセス技術(RAT)の前記QoSパラメータを、第２のRATのQoSパラメータに変換するロジックと
を具備したワイヤレス交信の装置。
［Ｃ１６］
前記第１及び第２の無線アクセス技術(RAT)の少なくとも１つは、標準のエレクトリカルアンドエレクトロニクスエンジニアーズ（IEEE）802.16ファミリーの協会の１つ又はそれ以上の標準に従っているRATを構成しているＣ１５記載の装置。
［Ｃ１７］
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目を構成している、Ｃ１６記載の装置。
［Ｃ１８］
前記第１及び第２のRATの少なくとも１つは、コード分割多元接続(CDMA)高レートパケットデータ(HRPD) RATを構成するＣ１５記載の装置。
［Ｃ１９］
前記CDMA HRPD RATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目で構成される冗長モード内のCDMA HRPDに関連したパラメータを構成している、Ｃ１８記載の装置。
［Ｃ２０］
さらに前記第１のRATを利用する第１のネットワークから前記第２のRATを利用する第２のネットワークへ、変換されたQoSパラメータを用いるハンドオーバーを実行するロジックを含むＣ１５記載の装置。
［Ｃ２１］
前記第１及び第２のRATの１つは、標準のエレクトリカルアンドエレクトロニクスエンジニアーズ（IEEE）802.16ファミリーの協会の１つ又はそれ以上の標準に従っているRATを構成し、
前記１つのRATのQoSパラメータは、データ伝達のタイプ、最大維持トラフィックレート、最小予約トラフィックレート、最大期間、パケットエラーレート及び最大トラフィックバースト含むグループから選択された少なくとも１つの項目を構成し、
前記第１及び第２のRATの他方は、コード分割多元接続(CDMA) 高レートパケットデータ (HRPD) RATを構成し、そして、
前記他方のRATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目を構成している冗長モードのCDMA HRPDに関連するパラメータを構成する、Ｃ２０記載の装置。
［Ｃ２２］
ワイヤレス交信のためのコンピュータプログラム製品であって、コンピュータ読み取り可能な媒体が格納されたインストラクションを有し、前記インストラクションは１つ又はそれ以上のプロセッサにより実行可能であり、前記インストラクションは、
第１の無線アクセス技術 (RAT)のサービス品質(QoS)パラメータを決定するインストラクション、及び
前記第１の無線アクセス技術(RAT)の前記QoSパラメータを、第２のRATのQoSパラメータに変換するインストラクション
を構成しているワイヤレス交信のためのコンピュータプログラム製品。
［Ｃ２３］
前記第１及び第２の無線アクセス技術(RAT)の少なくとも１つは、標準のエレクトリカルアンドエレクトロニクスエンジニアーズ（IEEE）802.16ファミリーの協会の１つ又はそれ以上の標準に従っているRATを構成しているＣ２２記載のコンピュータプログラム製品。
［Ｃ２４］
前記802.16ファミリーRATのQoSパラメータは、データ伝達のタイプ、最大維持トラフィックレート、最小予約トラフィックレート、最大期間、パケットエラーレート及び最大トラフィックバーストを含むグループから選択された少なくとも１つの項目を構成している、Ｃ２３記載のコンピュータプログラム製品。
［Ｃ２５］
前記第１及び第２のRATの少なくとも１つは、コード分割多元接続(CDMA)高レートパケットデータ(HRPD) RATを構成するＣ２２記載のコンピュータプログラム製品。
［Ｃ２６］
前記CDMA HRPD RATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目で構成される冗長モード内のCDMA HRPDに関連したパラメータを構成している、Ｃ２５記載のコンピュータプログラム製品。
［Ｃ２７］
さらに前記第１のRATを利用する第１のネットワークから前記第２のRATを利用する第２のネットワークへ、変換されたQoSパラメータを用いるハンドオーバーを実行することを含むＣ２２記載のコンピュータプログラム製品。
［Ｃ２８］
前記第１及び第２のRATの１つは、標準のエレクトリカルアンドエレクトロニクスエンジニアーズ（IEEE）802.16ファミリーの協会の１つ又はそれ以上の標準に従っているRATを構成し、
前記１つのRATのQoSパラメータは、データ伝達のタイプ、最大維持トラフィックレート、最小予約トラフィックレート、最大期間、パケットエラーレート及び最大トラフィックバースト含むグループから選択された少なくとも１つの項目を構成し、
前記第１及び第２のRATの他方は、コード分割多元接続(CDMA) 高レートパケットデータ (HRPD) RATを構成し、そして、
前記他方のRATのQoSパラメータは、トラフィッククラス、ピークレート、トークンバケットサイズ(Bucket_size)、トークンレート、最大期間(Max_latency)、最大インターネットプロトコールロスレート(Max_IP_packet_loss_rate)、メディアンパケットサイズ(Packet_size)、及び遅延変動感度インジケー(Delay_var_sensitive)を含むグループから選択された少なくとも１つの項目を構成している冗長モードのCDMA HRPDに関連するパラメータを構成する、Ｃ２７記載のコンピュータプログラム製品。
【図１】
0005639084.tif 000012
【図２】
0005639084.tif 000013
【図３】
0005639084.tif 000014
【図４】
0005639084.tif 000015
【図５】
0005639084.tif 000016
【図５Ａ】
0005639084.tif 000017
【図６】
0005639084.tif 000018
【図７Ａ】
0005639084.tif 000019
【図７Ｂ】
0005639084.tif 000020
【図７Ｃ】
0005639084.tif 000021
【図７Ｄ】
0005639084.tif 000022
【図７Ｅ】
0005639084.tif 000023
【図７Ｆ】
0005639084.tif 000024
【図８Ａ】
0005639084.tif 000025
【図８Ｂ】
0005639084.tif 000026
【図８Ｃ】
0005639084.tif 000027
【図８Ｄ】
0005639084.tif 000028
【図９】
0005639084.tif 000029
【図１０】
0005639084.tif 000030
【図１１】
0005639084.tif 000031
【図１２】
0005639084.tif 000032
【図１３】
0005639084.tif 000033